(57)【特許請求の範囲】
【請求項１】
プラスチックにより上面に開口部を設け、且つ外周面部と底部に多数の排水孔を開口して有底筒状とすると共に、前記開口部の外周縁に、洗面台槽の排水口の上部外周面部に係止する、該排水口より径大なストッパー片を突設してごみキャッチ部が形成される一方、プラスチックにより円盤状に形成された基板の底面部から間隔を有して２本の連結杆を垂設固定したキャップを形成した洗面台用ごみキャッチ装置において、
前記２本の連結杆の下端部には、前記ストッパー片の係止孔に挿入係止する係止凹部が設けられ、且つ該係止凹部を前記ごみキャッチ部のストッパー片に穿設された係止孔に挿入係止することにより、前記キャップとごみキャッチ部が連結固定されて、前記洗面台槽の排水口の上部外周面部に係止固定され、更に前記ごみキャッチ部にごみが溜ったとき、前記キャップをごみキャッチ部と共に持ち上げて洗面台槽より取外し、前記２本の連結杆をそれぞれ内側方向へ押圧して、前記各連結杆の係止凹部の、前記ストッパー片の係止孔への挿入係止状態を解除して、前記ごみキャッチ部を手に触れることなくキャップから取外して廃棄処分できるようにしたことを特徴とする洗面台用ごみキャッチ装置。
【発明の詳細な説明】
【技術分野】
【０００１】
本発明は、洗面台槽の底部に開口した排水口の周縁部上に設置して、毛髪や石鹸屑等のごみをごみキャッチ部に捕捉すると共に、該ごみを捕捉したごみキャッチ部に手を触れることなく、前記洗面台槽から取外して廃棄処分する一方、新しいごみキャッチ部を簡単に排水口にセットすることができる洗面台用ごみキャッチ装置に関するものである。
【背景技術】
【０００２】
従来、洗面台槽の底部に開口した排水口には種々のタイプのごみキャッチが取付けられているが、いずれも前記ごみキャッチで捕捉された毛髪や石鹸屑等のごみを廃棄する場合は、ごみを捕捉したごみキャッチを手で取り出す必要があった。
【０００３】
また、ごみを捕捉したごみキャッチを手で触れることなく排水口から取出すことができるという技術的思想について、過去の特許文献を遡及検索したが、１件の特許文献も発見することができなかった。そして、単に下記特許文献に示すように、ヘアキャッチャーの底面の上面中心に摘み棒が立設されたものが開示されているに過ぎない。
【先行技術文献】
【特許文献】
【０００４】
【特許文献１】特開２０１４−１３９３９３号公報
【発明の概要】
【発明が解決しようとする課題】
【０００５】
前記従来一般に使用されている、ごみキャッチは、ごみを捕捉した後、これを取り出す場合、手でごみに触れることになり、ぬるぬる感があり、極めて不衛生であり、且つ気持が悪いという課題があった。また、前記特許文献１に記載された発明は、ヘアキャッチャーの底面の上面中心に摘み棒が立設されているため、該摘み棒をもって取出して、ヘアキャッチャーを逆さにしてごみを処理して再利用するという方式であるので、逆さにしてごみを処理する時点で、ごみに触れてしまい不衛生であると共に、気持が悪いという課題があった。
【０００６】
本発明は前記課題を解決すべくなされたものであって、洗面台槽の底部に開口した排水口の周縁部上に設置して、毛髪や石鹸屑等のごみをごみキャッチ部に捕捉すると共に、該ごみを捕捉したごみキャッチ部を手に触れることなく、取外して廃棄処分することができることができる洗面台用ごみキャッチ装置を提供しようとするものである。
【課題を解決するための手段】
【０００７】
本発明は、プラスチックにより上面に開口部を設け、且つ外周面部と底部に多数の排水孔を開口して有底筒状とすると共に、前記開口部の外周縁に、洗面台槽の排水口の上部外周面部に係止する、該排水口より径大なストッパー片を突設してごみキャッチ部が形成される一方、プラスチックにより円盤状に形成された基板の底面部から間隔を有して２本の連結杆を垂設固定したキャップを形成した洗面台用ごみキャッチ装置において、
前記２本の連結杆の下端部には、前記ストッパー片の係止孔に挿入係止する係止凹部が設けられ、且つ該係止凹部を前記ごみキャッチ部のストッパー片に穿設された係止孔に挿入係止することにより、前記キャップとごみキャッチ部が連結固定されて、前記洗面台槽の排水口の上部外周面部に係止固定され、更に前記ごみキャッチ部にごみが溜ったとき、前記キャップをごみキャッチ部と共に持ち上げて洗面台槽より取外し、前記２本の連結杆をそれぞれ内側方向へ押圧して、前記各連結杆の係止凹部の、前記ストッパー片の係止孔への挿入係止状態を解除して、前記ごみキャッチ部を手に触れることなくキャップから取外して廃棄処分できるようにするという手段を採用することにより、上記課題を解決した。
【発明の効果】
【０００８】
上記構成より成る本発明によれば、２本の連結杆の下端部に設けられた係止凹部をごみキャッチ部のストッパー片に穿設された係止孔に挿入係止することにより、前記キャップとごみキャッチ部が、それぞれ分離することなく一体に連結固定されて、洗面台槽の底部に開口した排水口の周縁部上に設置して、毛髪や石鹸屑等のごみをごみキャッチ部に捕捉すると共に、前記ごみが溜ったごみキャッチ部を取外すときには、前記２本の連結杆をそれぞれ内側方向へ押圧して、前記各連結杆の係止凹部の、前記ストッパー片の係止孔への挿入係止状態を解除して、前記キャップとごみキャッチ部とを分離することにより、前記ごみを捕捉したごみキャッチ部に手を触れることなく、該ごみキャッチ部をキャップから取外して廃棄処分することができるので、極めて衛生的で、ぬるぬるしたごみキャッチ部を触ることもないので、気持ち悪さがなく、然も新しいごみキャッチ部もキャップに簡単に取付けることができるという優れた効果を奏することができる。
【図面の簡単な説明】
【０００９】
【図１】本発明ごみキャッチ装置を洗面台槽に取付けた状態を示す一部切り欠き正面図である。
【図２】本発明ごみキャッチ装置におけるごみキャッチ部の平面図である。
【図３】本発明ごみキャッチ装置におけるキャップの平面図である。
【図４】本発明ごみキャッチ装置において、ごみキャッチ部をキャップから取外して廃棄する状態を示す正面図である。
【実施例】
【００１０】
本発明の実施例を図面に基づいて詳細に説明する。図１は本発明ごみキャッチ装置を洗面台槽に取付けた状態を示す一部切り欠き正面図であり、毛髪や石鹸屑等のごみ１をキャッチするごみキャッチ部２は、プラスチックにより上面に開口部３を設け、且つ外周面部と底部に多数の排水孔４を開口して有底筒状とすると共に、前記開口部３の外周縁に、洗面台槽５の排水口６の上部外周面部に係止する、該排水口６より径大なストッパー片７を突設して形成されている。
【００１１】
一方、前記洗面台槽５に取付けられたごみキャッチ部２上には、毛髪等のごみ１をキャッチしたごみキャッチ部２を前記洗面台槽５より持ち上げて取外し、その後、手に触れることなく、前記ごみキャッチ部２を廃棄処分できるキャップ８が取付けられている。前記キャップ８は、プラスチックにより円盤状に形成された基板９の底面部から間隔を有して２本の連結杆１０が垂設固定され、且つ該２本の連結杆１０の下端部に設けられた係止部１１が前記ごみキャッチ部２のストッパー片７に穿設された係止孔１２に挿入係止されるよう形成されている。
【００１２】
前記係止部１１は、特に限定する必要はないが、ごみキャッチ部２のストッパー片７に穿設された係止孔１２に挿入係止できる形状のものであればよく、好ましくは、図１・図４に示すように、各連結杆１０の下端部に、前記ストッパー片７に係止する係止凹部１３を設けることが推奨される。これにより、各連結杆１０を両手で内側に押圧して、両連結杆１０間の間隔を縮めて、その下端部をストッパー片７の係止孔１２に挿入し、且つ該係止孔１２の内周縁部に前記係止凹部１３を挿入係止することにより、前記キャップ８は前記ごみキャッチ部２に連結固定される。
【００１３】
そして、前記キャップ８を前記ごみキャッチ部２に連結固定した後、該ごみキャッチ部２を洗面台槽５の排水口６に挿入し、ストッパー片７の底面が前記排水口６の上部外周面部に摺接固定されて、ごみキャッチ部２の洗面台槽５へのセットが完了する。なお、前記キャップ８上には、特に限定する必要はないが、好ましくは、図３に示すように、キャラクター等の図柄１４を表示することが推奨される。これにより、白一色で統一された洗面台槽５に彩りを与えることができる。
【００１４】
前記ごみキャッチ部２が洗面台槽５へセットされると、洗面台槽５上において、洗顔や染髪等により使用された排水および毛髪等のごみは、前記キャップ８の底面の各連結杆１０間の隙間１５よりごみキャッチ部２内に流れ込み、毛髪等のごみをごみキャッチ部２で捕捉して排水のみが排水口６へ流れ込み排水される。
【００１５】
一方、前記ごみキャッチ部２内に毛髪や石鹸屑等のごみが溜り、該ごみキャッチ部２を取り換える場合、前記キャップ８を持ち上げると、ごみキャッチ部２も連結されたまま持ち上げられ、然る後、前記キャップ８の２本の連結杆１０をそれぞれ内側方向へ押圧すると、前記各連結杆１０の係止凹部１３の、前記ストッパー片７の係止孔１２への挿入係止状態を解除して、前記キャップ８とごみキャッチ部２とを分離することにより、ごみが溜ったままのごみキャッチ部２のみを、ごみ箱に手を触れることなく廃棄処理ができる。その後、新しいごみキャッチ部２を前記キャップ８の各連結杆１０を介して連結固定して、改めて洗面台槽５にセットすればよい。
【符号の説明】
【００１６】
１  毛髪や石鹸屑等のごみ
２  ごみキャッチ部
３  開口部
４  排水孔
５  洗面台槽
６  排水口
７  ストッパー片
８  キャップ
９  基板
１０  連結杆
１１  係止部
１２  係止孔
１３  係止凹部
１４  図柄
１５  隙間
【図１】
0006687329.tif 000002
【図２】
0006687329.tif 000003
【図３】
0006687329.tif 000004
【図４】
0006687329.tif 000005